(57)【要約】【課題】両面印刷処理において表面と裏面の画像の位置を近づける。【解決手段】画像形成装置は、第１の面に再現すべき第１の画像を読み取って第１の画像を表す第１の画像データを生成するとともに、第２の面に再現すべき第２の画像を読み取って第２の画像を表す第２の画像データを生成する画像データ生成部と、第１の画像データと第２の画像データとを解析して、第１の面における第１の画像の位置である第１の位置と、第２の面における第２の画像の位置である第２の位置とを取得し、第１の位置と第２の位置とが相互に近づくように第１の画像データと第２の画像データの少なくとも一方を調整する画像位置調整部と、少なくとも一方が調整された第１の画像データと第２の画像データとに基づいて印刷媒体の両面に画像を形成する画像形成部とを備える。【選択図】図１
2018160790.tif 000002
【特許請求の範囲】
【請求項１】
印刷媒体の第１の面と、前記第１の面の裏面である第２の面とに画像を形成する画像形成装置であって、
前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成部と、
前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整部と、
前記少なくとも一方が調整された前記第１の画像データと前記第２の画像データとに基づいて前記印刷媒体の両面に画像を形成する画像形成部と、
を備える画像形成装置。
【請求項２】
請求項１記載の画像形成装置であって、さらに、
前記第１の画像データと前記第２の画像データとに表示されている地肌色を抑制するための地肌抑制処理を前記第１の画像データと前記第２の画像データとに実行する画像処理部を備え、
前記画像位置調整部は、前記地肌抑制処理が実行される前の前記第１の画像データと前記第２の画像データとに基づいて前記解析を実行し、
前記画像形成部は、前記画像処理部によって前記地肌抑制処理が実行された前記第１の画像データと前記第２の画像データとに基づいて前記画像を形成する画像形成装置。
【請求項３】
請求項１又は２に記載の画像形成装置であって、さらに、
前記第１の画像データと前記第２の画像データとに表示されている裏写りを抑制する画像処理部を備え、
前記第１の画像と前記第２の画像が同一の原稿の各面に表示され、
前記画像位置調整部は、前記第１の画像に表示されている裏写りの画像と、前記第２の画像を所定の方向に反転した画像との一致に応じて前記調整を実行する画像形成装置。
【請求項４】
請求項３記載の画像形成装置であって、
前記画像データ生成部は、画像の読み取りのための光を射出する光源部と、前記読み取りのためのスキャンを行う走査機構とを備え、前記光源部からの射出光量の増加と前記スキャンの速度の低下の少なくとも一方によって前記第１の画像データに加えて前記裏写りが強調された裏写り画像を表す裏写り画像データを生成し、
前記画像位置調整部は、前記裏写り画像データを解析し、前記第１の画像に表示されている裏写りの画像と、前記第２の画像を所定の方向に反転した画像との一致に応じて前記調整を実行する画像形成装置。
【請求項５】
請求項１乃至４のいずれか１項に記載の画像形成装置であって、
前記画像位置調整部は、前記第１の画像データと前記第２の画像データのいずれか一方を調整して前記第１の位置と前記第２の位置とを相互に近づける画像形成装置。
【請求項６】
印刷媒体の第１の面と、前記第１の面の裏面である第２の面とに画像を形成する画像形成方法であって、
前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成工程と、
前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整工程と、
前記少なくとも一方が調整された前記第１の画像データと前記第２の画像データとに基づいて前記印刷媒体の両面に画像を形成する画像形成工程と、
を備える画像形成方法。
【請求項７】
印刷媒体の第１の面と、前記第１の面の裏面である第２の面とに画像を形成する画像形成装置を制御するための画像形成プログラムであって、
前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成部、
前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整部、及び
前記少なくとも一方が調整された前記第１の画像データと前記第２の画像データとに基づいて前記印刷媒体の両面に画像を形成する画像形成部として前記画像形成装置を機能させる画像形成プログラム。
【発明の詳細な説明】
【技術分野】
【０００１】
本発明は、原稿画像を読み取って両面印刷するための画像形成装置、画像形成方法及び画像形成プログラムに関する。
【背景技術】
【０００２】
画像形成装置は、両面印刷機能を備えるものが一般的となっている。両面印刷機能は、１枚の印刷用紙の両面に印刷を行うことを可能とするので、印刷用紙の使用を抑制することができ、印刷物の保管スペースも小さくすることもできる。ところが、両面印刷機能は、レターサイズやチケットサイズのように原稿のサイズが印刷用紙のサイズよりも小さい場合には、印刷用紙の表面と裏面とで画像が形成される位置がずれてしまうという問題を生じさせる。このような問題に対して、たとえば特許文献１は、印刷用紙の搬送方向に沿って画像の位置合わせをするために必要な調整時間を設けて印刷用紙の裏面に画像を形成するタイミングをずらす技術を提案している。本技術は、印刷用紙の裏面に画像を形成するタイミングをずらすことにより印刷用紙の表面と裏面とで画像が形成される位置を搬送方向において近づけることができる。
【先行技術文献】
【特許文献】
【０００３】
【特許文献１】特開２０１３−３７２２８号公報
【発明の概要】
【発明が解決しようとする課題】
【０００４】
しかし、従来技術では、印刷用紙の搬送方向と相違する方向に原稿の位置がずれている場合には、画像の位置合わせをすることができないという問題があった。
【０００５】
本発明はこのような状況に鑑みてなされたものであり、両面印刷処理において表面と裏面の画像の位置を近づける技術を提供することを目的とする。
【課題を解決するための手段】
【０００６】
本発明は、印刷媒体の第１の面と、前記第１の面の裏面である第２の面とに画像を形成する画像形成装置を提供する。前記画像形成装置は、前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成部と、前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整部と、前記少なくとも一方が調整された前記第１の画像データと前記第２の画像データとに基づいて前記印刷媒体の両面に画像を形成する画像形成部とを備える。
【０００７】
本発明は、印刷媒体の第１の面と、前記第１の面の裏面である第２の面とに画像を形成する画像形成方法を提供する。前記画像形成方法は、前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成工程と、前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整工程と、前記少なくとも一方が調整された前記第１の画像データと前記第２の画像データとに基づいて前記印刷媒体の両面に画像を形成する画像形成工程とを備える。
【０００８】
本発明は、印刷媒体の第１の面と、前記第１の面の裏面である第２の面とに画像を形成する画像形成装置を制御するための画像形成プログラムを提供する。前記画像形成プログラムは、前記第１の面に再現すべき第１の画像を読み取って前記第１の画像を表す第１の画像データを生成するとともに、前記第２の面に再現すべき第２の画像を読み取って前記第２の画像を表す第２の画像データを生成する画像データ生成部、前記第１の画像データと前記第２の画像データとを解析して、前記第１の面における前記第１の画像の位置である第１の位置と、前記第２の面における前記第２の画像の位置である第２の位置とを取得し、前記第１の位置と前記第２の位置とが相互に近づくように前記第１の画像データと前記第２の画像データの少なくとも一方を調整する画像位置調整部、及び前記少なくとも一方が調整された前記第１の画像データと前記第２の画像データとに基づいて前記印刷媒体の両面に画像を形成する画像形成部として前記画像形成装置を機能させる。
【発明の効果】
【０００９】
本発明によれば、両面印刷処理において表面と裏面の画像の位置を近づける技術を提供することができる。
【図面の簡単な説明】
【００１０】
【図１】本発明の一実施形態に係る画像形成装置１の機能構成を示すブロックダイアグラムである。
【図２】一実施形態に係る画像形成装置１の原稿台１７０と操作表示部５０とを示す説明図である。
【図３】比較例における画像形成の処理の流れを示す説明図である。
【図４】一実施形態に係る両面印刷処理の内容を示すフローチャートである。
【図５】一実施形態における画像形成の処理（第１の例）の流れを示す説明図である。
【図６】一実施形態に係る画像位置調整処理の内容を示すフローチャートである。
【図７】一実施形態における画像形成の処理（第２の例）の流れを示す説明図である。
【図８】変形例における画像形成の処理（第１変形例）の流れを示す説明図である。
【図９】変形例における画像形成の処理（第２変形例）の流れを示す説明図である。
【発明を実施するための形態】
【００１１】
以下、本発明を実施するための形態（以下、「実施形態」という）を、図面を参照して説明する。
【００１２】
図１は、本発明の一実施形態に係る画像形成装置１の全体構成を示す概略構成図である。画像形成装置１は、制御部１０と、画像処理部２０と、画像形成部３０と、記憶部４０と、操作表示部５０と、画像位置調整部６０と、画像読取部１００とを備えている。画像読取部１００は、自動原稿送り装置（ＡＤＦ）１６０と、原稿台１７０と、原稿台カバー１８０とを備えている。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェースに関連するコントローラ機能を備え、画像形成装置１全体を制御する。
【００１４】
記憶部４０は、非一時的な記録媒体であるハードディスクドライブやフラッシュメモリー等からなる記憶装置で、制御部１０等が実行する処理の制御プログラムやデータを記憶する。
【００１５】
画像読取部１００は、光源部１１０と、第１反射鏡１３１と、第１キャリッジ１２０と、第２反射鏡１３５と、第３反射鏡１３６と、第２キャリッジ１３７と、集光レンズ１３８と、イメージセンサ１４１とを備えている。光源部１１０は、原稿を読み取るための光を射出する。光量は、制御部１０からの指令に応じて、たとえばパルス幅変調方式（ＰＷＭ）によって調整可能である。
【００１６】
第１反射鏡１３１は、原稿からの反射光Ｌを第２反射鏡１３５の方向に反射する。第２反射鏡１３５は、反射光Ｌを第３反射鏡１３６の方向に反射する。第３反射鏡１３６は、反射光Ｌを集光レンズ１３８の方向に反射する。集光レンズ１３８は、反射光Ｌをイメージセンサ１４１の受光面に結像する。
【００１７】
第１キャリッジ１２０は、光源部１１０と第１反射鏡１３１とを搭載し、副走査方向Ｓに往復動する。第２キャリッジ１３７は、第２反射鏡１３５と第３反射鏡１３６とを搭載し、副走査方向Ｓに往復動する。第１キャリッジ１２０及び第２キャリッジ１３７は、制御部１０によって制御される走査機構の一部をなし、光源部１１０は原稿を副走査方向に走査（スキャンとも呼ばれる。）することができる。これにより、イメージセンサ１４１は、原稿台１７０に裁置された原稿上の２次元画像に応じてアナログ電気信号を出力し、自動ゲイン調整処理部（ＡＧＣ：図示せず）でゲイン調整を行う。これにより、画像読取部１００は、アナログ電気信号をＡ／Ｄ変換して画像データＩＤを生成することができる。画像読取部１００は、画像データ生成部とも呼ばれる。
【００１８】
ＡＤＦ１６０は、複数の原稿を裁置可能で、原稿を１枚ずつ送って自動的に画像が読み取られる。原稿を自動的に搬送する自動原稿送り装置（ＡＤＦ）１６０が使用される場合には、第１キャリッジ１２０及び第２キャリッジ１３７は、予め設定されている副走査位置に固定され、原稿の自動送りによって走査が行われる。尚、ＡＤＦ１６０には、片面だけでなく両面を同時にあるいは逐次に読み取るものもある。
【００１９】
ＡＤＦ１６０は、紙送りローラ１６１と、原稿読取スリット１６２とを備えている。紙送りローラ１６１は、原稿の自動送りを行い、原稿の読み取りが原稿読取スリット１６２を介して行われる。この場合には、第１キャリッジ１２０が予め設定されている副走査位置に固定されるので、第１キャリッジ１２０に搭載されている光源部１１０も所定位置に固定されることになる。
【００２０】
これにより、イメージセンサ１４１は、原稿読取スリット１６２を介して取得された原稿上の２次元画像に応じてアナログ電気信号を出力する。これにより、画像読取部１００は、アナログ電気信号をＡ／Ｄ変換して画像データＩＤを生成することができる。画像データＩＤは、ＲＧＢの画像データである。
【００２１】
画像処理部２０は、画像データＩＤに対して、地肌抑制処理や裏写り抑制処理を実行する。地肌抑制処理は、たとえば特にモノクロの文字原稿の地肌の色を擬似的に白色として読みやすい印刷物を生成するための処理である。裏写り抑制処理は、原稿の裏面の画像が原稿を透過して裏写りしている場合に、その裏写りの画像を擬似的に白色として読みやすい印刷物を生成するための処理である。地肌抑制処理や裏写り抑制処理は、たとえば予め設定されている閾値以下の濃度の画像を裏写りや原稿の地肌色とみなして抑制する処理として実装可能である。
【００２２】
画像形成部３０は、地肌抑制処理や裏写り抑制処理が施された画像データＩＤに対して、色変換処理やハーフトーン処理を実行して印刷データを生成する。画像形成部３０は、印刷データに基づいて印刷媒体（図示せず）に画像を形成して排出する。
【００２３】
図２は、一実施形態に係る画像形成装置１の原稿台１７０と操作表示部５０とを示す説明図である。操作表示部５０は、タッチパネルとして機能するディスプレイ５１やスタートボタン５２その他の各種ボタンやスイッチからユーザーの操作入力を受け付ける。
【００２４】
この例では、図２（ａ）に示される原稿Ｄ１の表面原稿画像ＤＦ１と裏面原稿画像ＤＢ１とが複写（印刷）対象となる。表面原稿画像ＤＦ１には、Ｂの文字であるＢテキストＴＦ１と原稿Ｄ１の地肌色とが含まれている。裏面原稿画像ＤＢ１には、Ｄの文字であるＤテキストＴＢ１と原稿Ｄ１の地肌色とが含まれている。この例では、原稿Ｄ１の表面には、さらに、裏面のＤテキストＴＢ１が裏写り（図２（ａ）の右端参照）し、原稿Ｄ１の裏面には、表面のＢテキストＴＦ１が裏写り（図示せず）しているものとする。
【００２５】
原稿Ｄ１は、図２（ｂ）に示されるように、原稿台１７０に対して表面原稿画像ＤＦ１が対向するように配置される。この例では、初期設定としてＡ４の印刷用紙と縮尺（１倍）とが設定され、Ａ４の印刷用紙の印刷領域に対応する読取領域１７１（図２（ｂ）参照）が点線（本点線は、ユーザーには見えない線である。）で示されている。この例では、表面原稿画像ＤＦ１が原稿台１７０に対向しているので、裏面原稿画像ＤＢ１（図２（ｂ）では図示を省略）がユーザーには見えている状態となる。
【００２６】
ユーザーは、表面原稿画像ＤＦ１を配置した状態で原稿台カバー１８０を閉じてスタートボタン５２を押すことによって画像の読み取りを開始させることができる。これにより、画像読取部１００は、原稿Ｄ１の表面原稿画像ＤＦ１を読み取ることができる。
【００２７】
図３は、比較例における画像形成の処理の流れを示す説明図である。図３（ａ）は、原稿Ｄ１の表面原稿画像ＤＦ１と裏面原稿画像ＤＢ１とが読み取られる様子を示している。この例では、ユーザーは、表面原稿画像ＤＦ１と裏面原稿画像ＤＢ１の位置が表裏で一致するような位置に原稿Ｄ１を配置して裏面原稿画像ＤＢ１を原稿台１７０に対して対向させている。
【００２８】
図３（ｂ）は、表面原稿画像ＤＦ１の読み取りで生成される表面画像データＩＤＦ１で表される画像と、裏面原稿画像ＤＢ１の読み取りで生成される裏面画像データＩＤＢ１で表される画像とを示している。図３（ｃ）は、表面画像データＩＤＦ１（第１の画像データとも呼ばれる。）と裏面画像データＩＤＢ１（第２の画像データとも呼ばれる。）とを使用する両面印刷で生成される印刷物Ｐ１を示している。
【００２９】
このように、比較例では、ユーザーが表面の画像と裏面の画像の位置が一致するように試行錯誤等を行い、これにより画像の読み取り位置を調整することによって表面と裏面の画像の位置を一致させる必要がある。なお、この例では、表面画像データＩＤＦ１及び裏面画像データＩＤＢ１は、いずれも画像処理部２０によって地肌抑制処理及び裏写り抑制処理が実行されているデータである。
【００３０】
図４は、一実施形態に係る両面印刷処理の内容を示すフローチャートである。図５は、一実施形態における画像形成の処理（第１の例）の流れを示す説明図である。本両面印刷処理は、裏面原稿画像ＤＢ１の読み取りにおいてユーザーが試行錯誤等を行うことなく表面と裏面の画像の位置を一致させることができる。
【００３１】
ステップＳ１０では、ユーザーは、操作表示部５０を操作して画像形成装置１の作動モードを両面印刷モードに設定する。両面印刷モードでは、さらに、表面と裏面の画像位置を一致させるか否かの選択を設定することができる。この例では、ユーザーは、表面と裏面の画像位置を一致させる作動モードを選択したものとする。
【００３２】
ステップＳ２０では、ユーザーは、画像読取部１００を使用して表面原稿画像ＤＦ１の画像読取を実行する。表面原稿画像ＤＦ１の画像読取は、比較例における読取と同一の手順で行うことができる（図５（ａ）左側参照）。これにより、画像読取部１００は、表面原稿画像ＤＦ１が印刷領域の左上側（主走査方向及び副走査方向の−側）に配置されている表面画像データＩＤＦ１ｒを生成する（図５（ｂ）左側参照）。表面画像データＩＤＦ１ｒは、地肌抑制処理及び裏写り抑制処理が実行されていない点を除いて比較例で生成された画像データと同一である。
【００３３】
ステップＳ３０では、ユーザーは、画像読取部１００を使用して裏面原稿画像ＤＢ１の画像読取を実行する。裏面原稿画像ＤＢ１の画像読取は、比較例と相違し、読取領域１７１（図２（ｂ）参照）の範囲内であればいずれの位置に配置してもよい。この例では、画像読取部１００は、表面原稿画像ＤＦ１の画像読取位置と同一の位置に配置されている裏面原稿画像ＤＢ１を読み取るものとする（図５（ａ）右側参照）。
【００３４】
これにより、画像読取部１００は、裏面原稿画像ＤＢ１が印刷領域の左上側（主走査方向及び副走査方向の−側）に配置されている裏面画像データＩＤＢ１ａを生成する。裏面画像データＩＤＢ１ａは、地肌抑制処理及び裏写り抑制処理が実行されていない点と、表面原稿画像ＤＦ１の位置の裏側と相違する位置に裏面原稿画像ＤＢ１が配置されている点とにおいて、比較例で生成された裏面画像データＩＤＢ１と相違する。
【００３５】
ステップＳ４０では、画像位置調整部６０は、位置情報取得処理を実行する。位置情報取得処理では、画像位置調整部６０は、地肌抑制処理や裏写り抑制処理が施される前の表面画像データＩＤＦ１ｒと裏面画像データＩＤＢ１ａとを解析する。これにより、画像位置調整部６０は、表面原稿画像ＤＦ１の地肌が表示されている画像領域の位置情報と、裏面原稿画像ＤＢ１の地肌が表示されている画像領域の位置情報とを取得することができる。換言すれば、画像位置調整部６０は、原稿台カバー１８０の裏面（図示せず）の色と原稿Ｄ１の地肌色の差に基づいて位置情報を取得することができる。
【００３６】
各画像領域の位置情報は、たとえば主走査方向と副走査方向を座標軸として、表面画像データＩＤＦ１ｒの画像領域における表面原稿画像ＤＦ１の矩形の外形と、裏面画像データＩＤＢ１ａの画像領域における裏面原稿画像ＤＢ１の矩形の外形とを表す座標データとして表すことができる。
【００３７】
ステップＳ５０では、画像位置調整部６０は、位置調整処理を実行する。図６は、一実施形態に係る画像位置調整処理の内容を示すフローチャートである。画像位置調整処理は、裏面原稿画像ＤＢ１の画像領域を移動させて、表面原稿画像ＤＦ１と裏面原稿画像ＤＢ１とを使用する両面印刷において印刷用紙の表裏における両者の位置を一致させる処理である。
【００３８】
ステップＳ５１では、画像位置調整部６０は、裏写り画像マッチング処理を実行する。裏写り画像マッチング処理では、画像位置調整部６０は、表面原稿画像ＤＦ１に裏写りとして薄く表示されているＤテキストＴＢ１（図２（ａ）の右端参照）と、裏面画像データＩＤＢ１ａの裏面原稿画像ＤＢ１に濃く表示されているＤテキストＴＢ１とのマッチング処理を実行する。
【００３９】
マッチング処理では、画像位置調整部６０は、表面原稿画像ＤＦ１におけるＢテキストＴＦ１の表示領域を地肌色あるいは白色に変更する。これにより、画像位置調整部６０は、マッチング処理におけるＢテキストＴＦ１の表示の影響を抑制することができる。画像位置調整部６０は、さらに、裏面原稿画像ＤＢ１を主走査方向に反転する。
【００４０】
これにより、画像位置調整部６０は、マッチング処理を実行し、裏面原稿画像ＤＢ１が表面原稿画像ＤＦ１の裏面画像であることを自動的に確認することができる。マッチング処理には、たとえば裏写りとして薄く表示されているＤテキストＴＢ１を細分化し、テンプレートを生成してテンプレートマッチングを行う方法が採用できる。なお、マッチング処理は、裏面原稿画像ＤＢ１に裏写りしている画像を使用してもよいし、双方においてマッチング処理を実行してもよい。
【００４１】
画像位置調整部６０は、表面原稿画像ＤＦ１の裏写り画像（ＤテキストＴＢ１の薄い画像、図５（ｂ）左側参照））と裏面原稿画像ＤＢ１（ＤテキストＴＢ１の反転画像）の画像形状が一致した場合には、処理をステップＳ５６に進め、一致しなかった場合には、処理をステップＳ５３に進める（ステップＳ５２）。一致しない場合には、たとえば原稿が運転免許証のように厚くて裏写りしない場合がある。
【００４２】
ステップＳ５３では、制御部１０は、タッチパネルとして機能するディスプレイ５１に原稿Ｄ１の表面原稿画像ＤＦ１と裏面原稿画像ＤＢ１とを関連づけて表示する。この表示は、たとえば原稿Ｄ１が三次元表示において回転する動画表示としても良いし、表面原稿画像ＤＦ１と裏面原稿画像ＤＢ１とを並べる表示でもよい。ディスプレイ５１には、地肌抑制処理や裏写り抑制処理が施されている表面原稿画像ＤＦ１及び裏面原稿画像ＤＢ１が表示される。
【００４３】
ステップＳ５４では、ユーザーは、表面の画像と裏面の画像とが一致する場合には、その旨をディスプレイ５１から入力する。制御部１０は、一致する旨の入力に応じて、処理をステップＳ５６に進める。なお、表面の画像と裏面の画像とが一致しない場合の処理（位置調整操作（ステップＳ５５を含む。））については後述する。
【００４４】
ステップＳ５６では、画像位置調整部６０は、図５（ｂ）に示されるように、裏面原稿画像ＤＢ１を主走査方向に移動させて表面原稿画像ＤＦ１の位置（第１の位置とも呼ばれる。）と裏面原稿画像ＤＢ１（第２の位置とも呼ばれる。）の画像の位置が表裏で一致するような位置に配置する。画像処理部２０は、表面原稿画像ＤＦ１と裏面原稿画像ＤＢ１とに対して、地肌抑制処理や裏写り抑制処理を実行する。
【００４５】
ステップＳ６０では、画像形成部３０は、両面印刷処理を実行する。両面印刷処理では、画像形成部３０は、印刷媒体としての印刷用紙の表面（第１の面とも呼ばれる。）に表面原稿画像ＤＦ１（第１の画像とも呼ばれる。）に基づく画像を形成（再現）し、印刷用紙の裏面（第２の面とも呼ばれる。）に裏面原稿画像ＤＢ１（第２の画像とも呼ばれる。）に基づく画像を形成（再現）する。
【００４６】
このように、一実施形態に係る画像形成装置１は、裏面原稿画像ＤＢ１の読み取りにおいてユーザーが試行錯誤等を行うことなく、表面と裏面の画像の位置を一致又は近づけることができる。
【００４７】
図７は、一実施形態における画像形成の処理（第２の例）の流れを示す説明図である。第２の例は、図７（ａ）に示される複数の原稿Ｄ１，Ｄ２のそれぞれの表面と裏面の画像を両面印刷で複写する例である。原稿Ｄ２の表面原稿画像ＤＦ２には、αの文字であるαテキストＴＦ２と原稿Ｄ２の地肌色とが含まれている。原稿Ｄ２の裏面原稿画像ＤＢ２には、βの文字であるβテキストＴＢ２と原稿Ｄ２の地肌色とが含まれている。なお、原稿Ｄ１は、第１の例における原稿Ｄ１と同一である。
【００４８】
この例では、原稿Ｄ１の表面原稿画像ＤＦ１と裏面原稿画像ＤＢ１とに加えて、原稿Ｄ２の表面原稿画像ＤＦ２と裏面原稿画像ＤＢ２とが複写（印刷）対象となる。この例では、原稿Ｄ１の表面原稿画像ＤＦ１には、裏面のＤテキストＴＢ１が裏写りし、原稿Ｄ２の表面原稿画像ＤＦ２には、裏面のβテキストＴＢ２が裏写りしている（図７（ｂ）の左端参照）。
【００４９】
第２の例では、ステップＳ１０乃至ステップＳ４０（図４参照）において第１の例と同様の処理が実行される。
【００５０】
ステップＳ５１では、画像位置調整部６０は、裏写り画像マッチング処理を実行する。裏写り画像マッチング処理では、画像位置調整部６０は、表面原稿画像ＤＦ１に裏写りとして薄く表示されているＤテキストＴＢ１と、２つの裏面原稿画像ＤＢ１，ＤＢ２に濃く表示されているＤテキストＴＢ１及びβテキストＴＢ２のそれぞれとのマッチング処理を実行する。
【００５１】
画像位置調整部６０は、表面原稿画像ＤＦ１に裏写りとして薄く表示されているＤテキストＴＢ１と、裏面原稿画像ＤＢ１に濃く表示されているＤテキストＴＢ１とのマッチングに応じて表面原稿画像ＤＦ１と裏面原稿画像ＤＢ１とを紐づける。
【００５２】
画像位置調整部６０は、表面原稿画像ＤＦ２に裏写りとして薄く表示されているβテキストＴＢ２と、２つの裏面原稿画像ＤＢ１，ＤＢ２に濃く表示されているＤテキストＴＢ１及びβテキストＴＢ２のそれぞれとのマッチング処理を実行する。画像位置調整部６０は、表面原稿画像ＤＦ２に裏写りとして薄く表示されているβテキストＴＢ２と、裏面原稿画像ＤＢ２に濃く表示されているβテキストＴＢ２とのマッチングに応じて表面原稿画像ＤＦ２と裏面原稿画像ＤＢ２とを紐づける。
【００５３】
画像位置調整部６０は、２つの表面原稿画像ＤＦ１，ＤＦ２と２つの裏面原稿画像ＤＢ１，ＤＢ２のそれぞれとに紐付けができた場合には、処理をステップＳ５６に進め、紐付けができなかった場合には、処理をステップＳ５３に進める（ステップＳ５２）。
【００５４】
ステップＳ５３では、画像位置調整部６０は、タッチパネルとして機能するディスプレイ５１に原稿Ｄ１の表面原稿画像ＤＦ１と裏面原稿画像ＤＢ１とを関連づけて表示し、原稿Ｄ２の表面原稿画像ＤＦ２と裏面原稿画像ＤＢ２とを関連づけて表示する。このように、画像位置調整部６０は、複数の原稿Ｄ１，Ｄ２のそれぞれが相互の位置関係を変更することなく、その場で裏返された場合を想定して紐付けの初期状態として設定している。
【００５５】
ステップＳ５４では、ユーザーは、表面の画像と裏面の画像との紐付けが正しい場合には、その旨をディスプレイ５１から入力する。制御部１０は、一致する旨の入力に応じて、処理をステップＳ５６に進める。一方、表面の画像と裏面の画像との紐付けが正しくない場合には、ユーザーは、位置調整操作として、図示しないユーザーインターフェース画面を介して正しい紐付け状態をディスプレイ５１から入力する（ステップＳ５５）。
【００５６】
ステップＳ５６では、画像位置調整部６０は、図７（ｂ）に示されるように、裏面画像データＩＤＢ２ａの裏面原稿画像ＤＢ１，ＤＢ２を主走査方向に移動させて（入れ替えて）表面原稿画像ＤＦ１と裏面原稿画像ＤＢ１の位置が表裏で一致するとともに、表面原稿画像ＤＦ２と裏面原稿画像ＤＢ２の位置が表裏で一致するような位置に配置する。これにより、画像形成装置１は、表面画像データＩＤＦ２と裏面画像データＩＤＢ２とを使用して、表面と裏面の画像の位置が一致する両面印刷で印刷物Ｐ２を生成することができる。
【００５７】
このように、一実施形態に係る画像形成装置１は、複数の原稿のそれぞれの表面と裏面の画像を両面印刷で複写する場合にも、複数の裏面原稿画像の読み取りにおいてユーザーが試行錯誤等を行うことなく、それぞれの表面と裏面の画像の位置を一致又は近づけることができる。
【００５８】
本発明は、上記各実施形態だけでなく、以下のような変形例でも実施することができる。
【００５９】
変形例１：上記各実施形態では、原稿の表面と裏面の画像を使用して一組の両面印刷を実行しているが、繰り返して複数の両面印刷を実行するようにしてもよい。具体的には、たとえば図８に示される第１変形例のように、原稿Ｄ１の表面と裏面の画像を両面印刷で繰り返して複写（リピート印刷とも呼ばれる。）するようにしてもよい。
【００６０】
この変形例では、画像形成装置１は、表面原稿画像ＤＦ１及び裏面原稿画像ＤＢ１の組合せが予め設定されている数だけ、あるいは印刷領域の全体を使って複数形成することができる。このような印刷処理は、たとえば整理券やチケットの生成に利用可能である。なお、画像形成装置１は、各組の両面印刷の間に切り取り線その他の輪郭線ＬＣを表示する印刷物Ｐ３を生成するようにしてもよい。
【００６１】
変形例２：上記各実施形態では、Ａ４の印刷用紙の印刷領域に対応する読取領域１７１（図２（ｂ）参照）の角部に原稿の表面が配置されているが、他の場所に配置してもよい。具体的には、たとえば図９に示される第２変形例のように、ユーザーは、表面原稿画像ＤＦ１の画像読取（ステップＳ２０）において任意の位置（図９の例では中央部）に両面印刷の位置を設定して印刷物Ｐ４を生成することができる。裏面原稿画像ＤＢ１の位置は、表面原稿画像ＤＦ１の位置に一致するように調整される一方、表面原稿画像ＤＦ１の位置は変更されないからである。
【００６２】
なお、両面印刷の位置は、２回目の画像読取位置に設定可能とするように画像位置調整部６０を構成してもよい。具体的には、画像位置調整部６０は、表面原稿画像ＤＦ１の位置を、裏面原稿画像ＤＢ１の位置に一致するように調整するように構成すればよい。画像位置調整部６０は、裏面原稿画像ＤＢ１と表面原稿画像ＤＦ１の少なくとも一方の位置を調整して両者が一致するように構成されていればよい。画像位置調整部６０は、さらに、マッチング処理で傾斜角を検出し、検出された傾斜角を用いて裏面原稿画像ＤＢ１と表面原稿画像ＤＦ１との方向を一致させるようにしてもよい。
【００６３】
変形例３：上記各実施形態では、表面原稿画像や裏面原稿画像において発生している裏写りを利用して表面と裏面の画像が同一の原稿の表面と裏面の画像であるか否かを判断している。しかしながら、本発明は、表面原稿画像とは別個に、たとえばスキャン速度の低下や光源の射出光量の増加、画像読取部１００のＡＧＣのゲイン調整（ゲイン増加）といった方法で裏写りを顕著に発生させる（あるいは裏写りが強調された）画像を取得するようにしてもよい。
【００６４】
変形例４：上記各実施形態では、表面原稿画像や裏面原稿画像において取得されている地肌色を利用して表面原稿画像や裏面原稿画像の位置情報を取得している。しかしながら、本発明は、表面原稿画像とは別個に、たとえばスキャン速度の高速化や光源の射出光量の低減、ＡＧＣのゲイン調整（ゲイン低下）といった方法で地肌を顕著に発生させる画像を取得するようにしてもよい。
【００６５】
変形例４：上記各実施形態では、原稿台を使用して画像の読み取りが行われているが、原稿自動送り装置を使用して画像の読み取りを行う場合にも本発明は適用可能である。また、上記各実施形態では、同一の原稿の各面に表示されている２つの画像を使用して両面印刷を実行しているが、別個の原稿の２つの画像を組み合わせてもよい。
【符号の説明】
【００６６】
１    画像形成装置
１０    制御部
２０    画像処理部
３０    画像形成部
４０    記憶部
５０    操作表示部
６０    画像位置調整部
１００    画像読取部
１６０    自動原稿送り装置（ＡＤＦ）
１７０    原稿台
１８０    原稿台カバー
【図１】
2018160790.tif 000003
【図２】
2018160790.tif 000004
【図３】
2018160790.tif 000005
【図４】
2018160790.tif 000006
【図５】
2018160790.tif 000007
【図６】
2018160790.tif 000008
【図７】
2018160790.tif 000009
【図８】
2018160790.tif 000010
【図９】
2018160790.tif 000011